(57)【特許請求の範囲】
【請求項１】
ロール状に巻取られた原紙を送り出し、この原紙に把手を貼着した後、その原紙を折り込んで把手付き角底紙袋を連続に成形する輪転型製袋機において、供給される原紙に横スリットとその横スリットと連続するＪ字状の切目を形成する切込み工程と、前記横スリットと反対側で前記Ｊ字状の切目に近接して前記原紙に把手糊付部を形成する把手糊付け工程と、前記把手糊付部に、補強紙と紐を一体とした把手の該補強紙を貼着する補強紙貼着工程と、前記横スリットと連続する切込み部を形成して前記原紙を横方向に切断する原紙切断工程と、この切断縁部を糊付けして内側に折り返す口折り工程と、前記補強紙を貼着した原紙をほぼ二つ折りして紙筒を形成する紙筒成形工程と、この紙筒の底部を折る底折工程を経て把手付き角底紙袋を連続的に成形するように構成したことを特徴とする輪転型製袋機における把手付き角底紙袋の製造方法。
【発明の詳細な説明】
【０００１】
【産業上の利用分野】
本発明は、原紙を連続的に送り出してショッピングバック等の把手を備えた角底紙袋を形成する輪転型製袋機における把手付き角底紙袋の製造方法に関する。
【０００２】
【発明が解決しようとする課題】
従来、ショッピングバック等の把手を備えた角底紙袋を形成する製袋機として、ロール状に巻き取った原紙をほぼ連続的に供給して把手付き角底紙袋を成形する輪転型製袋機と、予め所定サイズに裁断した原紙を供給して把手付き角底紙袋を成形する枚葉型製袋機の２種類の製袋機が知られている。
【０００３】
輪転型製袋機としては、例えば特開昭５０−１２２３７５号公報などで開示され、図６に示すように、ロール状に巻き取った原紙Ｒを送り出しながら原紙Ｒに把手Ｔを貼着した後、原紙Ｒを二つ折りに折りこみながら原紙Ｒを貼り合わせて連続した紙筒Ｐを成形し、これを図６において矢印Ａで示す把手の貼着部分で紙筒Ｐを切断することによって、口部に把手Ｔを備えた把手付き紙筒Ｓを形成する。そして、その把手付き紙筒Ｓを底折りすることによって把手付きの角底紙袋を成形するようにしている。
【０００４】
このような輪転型製袋機は、ロール状に巻き取った原紙Ｒをほぼ連続的に送り出して把手付きの角底紙袋を効率的に製造することができ、その生産コストを安価に抑えられるという利点を有する反面、原紙Ｒに把手Ｔを貼着し、これを筒状に貼り合わせてから、把手Ｔの貼着部分で紙筒Ｐを切断することから、把手Ｔを貼着した把手付き紙筒Ｓの袋口を内側に折り込むことができない。このため、その袋口の切断端部がそのまま残るばかりでなく、把手Ｔを取り付けるクラフト紙などの補強紙Ｔ１が袋口から直接、視認されることから、体裁が悪く、高級感のある角底紙袋を成形することが困難な面がある。また、物を入れる際、補強紙に引っ掛かるばかりでなく、重たい物を入れた際、把手が抜けやすい。
【０００５】
この点、枚葉型製袋機は、図７に示すように、予め所定サイズに裁断したシート状の原紙Ｒを一枚ずつ供給し、これに把手Ｔを貼着することから、シート状の原紙Ｒに把手Ｔを貼着した後、その袋口を内側に折り込んで、把手Ｔの補強紙Ｔ１を口折部Ｒ１で包み隠した状態で平面的に展開した原紙Ｒを貼り合わせて把手付き紙筒Ｓを形成することができる。したがって、角底紙袋の袋口が内側に折り込まれ、その袋口を整えることができるとともに、把手Ｔの補強紙Ｔ１が口折部Ｒ１で覆われることから、意匠性に優れた高級感のある把手付き角底紙袋を成形することができる。しかし、枚葉型製袋機は、原紙Ｒを連続的に供給して角底紙袋に連続的に形成可能な輪転型製袋機に比べ、紙袋の製造速度が遅く、生産性に劣る面があり、角底紙袋の生産コストが高くなるという課題を有していた。
【０００６】
この発明は、このような問題を解決して輪転型製袋機において、把手を貼着した袋口を内側に折り込んで意匠性に優れるとともに耐荷重が高く、かつ、物を入れやすい把手付き角底紙袋を形成することができる輪転型製袋機を提供することを目的とする。
【０００７】
【課題を解決するための手段】
上記課題を解決するため、本発明は、ロール状に巻取られた原紙を送り出し、この原紙に把手を貼着した後、その原紙を折り込んで把手付き角底紙袋を連続に成形する輪転型製袋機において、供給される原紙に横スリットとその横スリットと連続するＪ字状の切目を形成する切込み工程と、前記横スリットと反対側で前記Ｊ字状の切目に近接して前記原紙に把手糊付部を形成する把手糊付け工程と、前記把手糊付部に、補強紙と紐を一体とした把手の該補強紙を貼着する補強紙貼着工程と、前記横スリットと連続する切込み部を形成して前記原紙を横方向に切断する原紙切断工程と、この切断縁部を糊付けして内側に折り返す口折り工程と、前記補強紙を貼着した原紙をほぼ二つ折りして紙筒を形成する紙筒成形工程と、この紙筒の底部を折る底折工程を経て把手付き角底紙袋を連続的に成形するように構成したものである。
【０００８】
上記構成により、ロール状に巻き取られた原紙を連続的に供給し、把手の補強紙を貼着する前工程で、把手の紐に対応する位置に横スリットと、この横スリットと連設するＪ字状の切目とを形成する。そして、横スリットに把手の紐がかかるように、把手取り付け用の補強紙を原紙に貼着する。このようにして補強紙を貼着した後、原紙切断工程において横スリット部分と連続するように、切込み部を形成することによって把手を取り付けた原紙を切り離す。これによって、把手付き原紙は、それ以降平面的に展開した状態で供給されることになる。そして、補強紙には把手の補強紙を貼着する前に横スリットと連設するＪ字状の切目が形成され、このＪ字状の切目が把手の紐と対応した位置に形成されるから、原紙切断工程で切断した端部を内側に折り込む際、Ｊ字状の切目から把手の紐がすり抜け、原紙の切断端部を内側に折り込むことが可能となる。こうして把手の補強紙を包み隠した状態で、その後の紙筒成形工程と底折工程を経て把手付き角底紙袋を成形されることになる。これにより、口折部によって把手の補強紙が覆われ、外観的にも優れるとともに耐荷重が高く、かつ、物を入れやすい把手付き角底紙袋を連続的に成形することが可能となる。
【０００９】
【発明の実施形態】
以下、本発明の実施例について図１〜図５を参照して説明する。図１ないし図５において、Ｒは原紙、Ｔは把手、Ｓは把手付き紙筒、Ｂは把手付き角底紙袋、１は製袋機、２は製袋機１と並設する把手形成装置である。
【００１０】
製袋機１は、原紙Ｒの給紙装置３、原紙Ｒにスリットを形成する切込装置４、把手貼着装置５、原紙Ｒの切断装置６、口部折込装置８、胴部筋付装置９、胴部糊付装置10、紙筒成形装置11、底折装置45などを備えている。
【００１１】
給紙装置３はロール状に巻き取った原紙Ｒを連続的に送り出し、まず、切込装置４に供給する。切込装置４は図示しない切り込み刃を有する回転ローラ12と受けローラ13とを備え、これらローラ12，13との間に原紙Ｒを供給して把手Ｔの紐Ｔ２と対応する位置にそれぞれ横スリット15を形成するともに、このスリット15と直交して各スリット15の中央部に連設するようにＪ字状の切目16を形成する。こうして、横スリット15とＪ字状の切目16とを形成した原紙Ｒは糊付ローラ18を備えた把手部糊付装置19へと搬送され、糊付ローラ18によってＪ字状の切目16と隣接する位置に糊付部19が形成される。
【００１２】
把手形成装置２は、図２に示したように、例えばクラフト紙などからなる補強紙Ｔ１と紐Ｔ２を一体として把手Ｔを形成し、この把手Ｔを前記糊付部19上に供給する。
【００１３】
把手貼着装置５は上下に対を成すローラ５Ａから成り、上下のローラ５Ａの間に把手Ｔを有する原紙Ｒを供給することによって原紙Ｒに把手Ｔを貼着している。
【００１４】
切断装置６は切断刃20を備えた上部回転軸21と、切断刃20の受け部22を備えた下部回転軸23とで構成されている。前記切断刃20は、図４（ｅ）に示すように、前記把手Ｔの紐Ｔ２と対応する位置、すなわち、横スリット15と対応して切欠部20Ａを形成している。
【００１５】
口部折込装置８は、原紙Ｒの口部に糊付けする口部糊付装置７と、回転ドラム25と、口折りに際して原紙Ｒの口部を前記回転ドラム25の周面軸方向に形成した開口溝28に押し込む口折刃29を有する口折りドラム27などで構成している。口部糊付装置７は糊付けローラ26を備え、この糊付けローラ26と口折りドラム27が回転ドラム25に接触して回転している。
【００１６】
胴部筋付装置９には図示しない筋付刃を有する複数の回転ローラ30と受けローラ31とを備え、筋付刃によって紙袋の両側にＭ字状の折込部Ｓ１を形成するための折込線Ｌ１と折返線Ｌ２と折畳線Ｌ３となる筋を略平行に刻設する。
【００１７】
胴部糊付装置10は前記口部糊付装置７と同様、糊付ローラ35を備え、把手付き原紙Ｒ１の外縁部に糊付部36を形成する。
【００１８】
紙筒成形装置11では胴部筋付装置９により刻設された折込線Ｌ１と折返線Ｌ２と折畳線Ｌ３とに沿って把手付き原紙Ｒ１を二つ折りに折り畳みかつ胴部糊付装置10によって糊付けした糊付部36によって貼り合わせる。そして、紙筒成形装置11の終端側に設けたプレスローラ36によってプレスする。
【００１９】
底折装置45は、この種の製袋装置において周知の装置、例えば特開平05-345374号公報などを底折装置を用いる。すなわち、角底紙袋Ｂの角底部分となる袋底寄りに底折返線Ｌ４と底折込線Ｌ５の折目を付ける底折筋付け装置40と、前記紙筒Ｔを回転移送する底折ドラム41と、紙筒Ｔの袋底を開く底開き装置と、底折返線Ｌ４から折り返して表裏各折込フラップＦ１，Ｆ２を底折ドラム41に沿わせて平面的に展開させるフラップ折返装置と、表裏各折込フラップＦ１，Ｆ２に糊付けする糊付装置と、前記表裏各折込フラップＦ１，Ｆ２を起立させるフラップ立ち上げ装置と、その表裏各折込フラップＦ１，Ｆ２を折り込んで貼着する袋底折込装置とを具備している。
【００２０】
以上のように構成される製袋機１における紙袋の製造について説明する。
【００２１】
まず、図４（ａ）に示したように、ロール状に巻き取られた原紙Ｒを給紙装置３により連続的に供給して切込装置４に送り込み、切込装置４において、回転ローラ12と受けローラ13を相互に逆方向に回転させて、原紙Ｒの搬送方向後側に、切り込み刃と刃受け部を当接させて、図４（ｂ）に示したように、横スリット15とＪ字状の切目16とを形成する。なお、横スリット15は、把手Ｔの紐Ｔ２と対応した位置に形成される。こうして横スリット15とＪ字状の切目16とを形成した原紙Ｒは給紙装置３によって把手部糊付装置19へと搬送される。ここで糊付ローラ18を原紙Ｒに沿わせて回転させることによって、Ｊ字状の切目16と隣接して把手Ｔの糊付部19を形成する。この糊付部19に、把手形成装置２で形成された把手Ｔを原紙Ｒに供給して、図４（ｄ）に示すように把手Ｔの補強紙Ｔ１を貼り付ける。このようにして原紙Ｒに順次、把手Ｔを所定間隔毎に貼着する。そして、把手Ｔを貼着した原紙Ｒは切断装置６に供給され、上部回転軸21と下部回転軸23とを相互に逆回転させ、切断刃20と受け部22とを当接させる。この時、図４（ｄ）に示すように切断刃20は原紙Ｒの横スリット15部分と連続するように、上部回転軸21と下部回転軸23の回転と、原紙Ｒの搬送速度とが同期するように上部回転軸21を制御している。また、原紙Ｒに貼着した把手Ｔの紐Ｔ２は切断刃20の切欠部20Ａと対応しており、予め切込装置４によって形成した横スリット15と切断刃20による切込み部24とが繋がる。これにより、切断刃20によって紐Ｔ２を切断することなく、原紙Ｒが横方向に切断され、図４（ｅ）で示すように、所定サイズに切断した把手付き原紙Ｒ１が形成される。
【００２２】
この把手付き原紙Ｒ１は口部折込装置８に搬送され、口部糊付装置７の糊付けローラ26によって把手付き原紙Ｒ１の糊付けと略同時に、口折刃29を有する口折りドラム27で把手付き原紙Ｒ１の口部を折り込む。この時、Ｊ字状の切目16から把手Ｔの紐Ｔ２がすり抜けて把手付き原紙Ｒ１の口部が内側に折り込まれる。すなわち、口折部Ｓ２によって把手Ｔの補強紙Ｔ１が覆われることなる。
【００２３】
このようにして把手Ｔを取り付ける口部を内側に折り込まれた把手付き原紙Ｒ１は胴部筋付装置９に搬送され、胴部筋付装置９において、回転ローラ30と受けローラ31を相互に逆方向に回転させて、原紙Ｒ１の搬送に沿って折込線Ｌ１と折返線Ｌ２と折畳線Ｌ３となる筋を略平行に刻設する。この後、胴部糊付装置10の糊付ローラ35によって把手付き原紙Ｒ１の外縁部に糊付部36を形成する。こうして糊付けされた把手付き原紙Ｒ１は紙筒成形装置11により折込線Ｌ１と折返線Ｌ２と折畳線Ｌ３とに沿って把手付き原紙Ｒ１を二つ折りに折り畳んで紙筒成形装置11の終端側に設けたプレスローラ36によって貼り合わせる。これによって両側にＭ字状の折込部Ｓ１を有する把手付き紙筒Ｐを形成する。
【００２４】
この把手付き紙筒Ｐは底折装置45に搬送され、ここで底折筋付け装置40により、図５（ａ）に示すように、把手付き原紙Ｒ１の底縁寄りに底折返線Ｌ４と底折込線Ｌ５とを刻設し、底折ドラム41と、この底折ドラム41に付帯するフラップ折返装置により底折返線Ｌ４より先の袋底を開いて糊付装置により表裏各折込フラップＦ１，Ｆ２に糊付した後、その表裏各折込フラップＦ１，Ｆ２を底折込線Ｌ５からそれぞれ内側に折り込んで貼着している。そして、この底折ドラム41の搬送途中において、プレスローラにより折り込まれた表裏各折込フラップＦ１，Ｆ２をプレスして把手付き紙筒Ｐの角底部Ｂ１が成形される。これにより、把手付き角底紙袋Ｂが完成する。
【００２５】
以上のように、本実施例においては、ロール状に巻き取られた原紙Ｒを連続的に供給し、把手Ｔを貼着する前工程で、把手Ｔの紐Ｔ２に対応する位置に横スリット15と、この横スリット15と連設するＪ字状の切目16とを形成し、その横スリット15に把手Ｔの紐Ｔ２がかかるように、把手Ｔの補強紙Ｔ１を原紙Ｒに貼着した後、切断装置６の切断刃20によって横スリット15部分と連続するように、切込み部24を形成することによって把手Ｔの取り付けた原紙Ｒを切り離す。すなわち、切断装置６の切断刃20は横スリット15、すなわち、把手Ｔの紐Ｔ２と対応する位置に切欠部20Ａが形成されているため、切断刃20によって紐Ｔ２を切断することなく、原紙Ｒを横方向に切断することが可能となる。したがって、平面的に展開した把手付き原紙Ｒ１は、把手Ｔの取り付け側の切断端部を内側に折り込むことが可能となる。そして、内側に折り込んだ口折部Ｓ２によって把手Ｔの補強紙Ｔ１を包み隠した状態で、その後の紙筒成形工程と底折工程を経て把手付き角底紙袋Ｂを成形することができる。このように、ロール状に巻き取られた原紙Ｒを連続的に供給しながら把手付き角底紙袋Ｂを製造する輪転型製袋機において、完成した角底紙袋Ｂは、その袋口が内側に折り込まれた口折部Ｓ２によって整えられるともに、口折部Ｓ２によって把手Ｔの補強紙Ｔ１が覆われることから、外観的にも優れ、高級感を与える把手付き角底紙袋Ｂとなる。しかも、ロール状に巻き取られた原紙Ｒを連続的に供給しながら把手付き角底紙袋Ｂを製造する輪転型製袋機であるから、生産性にも優れ、把手付き角底紙袋Ｂの製造コストも削減することができる。
【００２６】
以上、本実施例について詳述したが、本発明は前記実施例に限定されるものでは無く、本発明の要旨の範囲内で種々の変形実施が可能である。
【００２７】
また、製袋機１の基本的構成なども前記実施例に限定されるものではなく、適宜選定すれば良い。
【００２８】
【発明の効果】
本発明の製袋機によれば、ロール状に巻取られた原紙を送り出し、この原紙に把手を貼着した後、その原紙を折り込んで把手付き角底紙袋を連続に成形する輪転型製袋機において、供給される原紙に横スリットとその横スリットと連続するＪ字状の切目を形成する切込み工程と、前記横スリットと反対側で前記Ｊ字状の切目に近接して前記原紙に把手糊付部を形成する把手糊付け工程と、前記把手糊付部に、補強紙と紐を一体とした把手の該補強紙を貼着する補強紙貼着工程と、前記横スリットと連続する切込み部を形成して前記原紙を横方向に切断する原紙切断工程と、この切断縁部を糊付けして内側に折り返す口折り工程と、前記補強紙を貼着した原紙をほぼ二つ折りして紙筒を形成する紙筒成形工程と、この紙筒の底部を折る底折工程を経て把手付き角底紙袋を連続的に成形するように構成したものであるから、角底紙袋の袋口が内側に折り込まれて袋口を体裁よく整えることができるともに、把手の補強紙が覆われて外観的にも優れ、高級感を与える把手付き角底紙袋を形成することができる。しかも、ロール状に巻き取られた原紙を連続的に供給しながら把手付き角底紙袋を製造する輪転型製袋機であるから、生産性にも優れ、把手付き角底紙袋の製造コストも削減することができる。
【図面の簡単な説明】
【図１】本発明の一実施例を示す製袋機の正面図である。
【図２】同上製袋機の平面図である。
【図３】同上製袋機の把手貼合機構付近を拡大した正面図である。
【図４】同上製袋工程の流れを示す説明図であり、図４（ａ）は原紙の供給状態、図４（ｂ）は切込み工程、図４R>４（ｃ）は糊付け工程、図４（ｄ）は補強紙貼着工程、図４（ｅ）は原紙切断工程、図４（ｆ）は口部糊付工程、図４（ｇ）は口部折込工程を示している。
【図５】同上製袋工程の流れを示す説明図であり、図５（ａ）は折目形成工程、図５（ｂ）は紙筒成形工程、図５（ｃ）は底折工程、図５（ｄ）は完成した把手付き角底紙袋を示している。
【図６】従来の輪転型製袋機の製袋工程を示す説明図である。
【図７】従来の枚葉型製袋機の製袋工程を示す説明図である。
【符号の説明】
１  製袋機
２  把手形成装置
３  給紙装置
４  切込装置
Ｂ  把手付き角底紙袋
Ｐ  把手付き紙筒
Ｒ  原紙
Ｒ１  把手付き原紙
Ｔ  把手
Ｔ１  補強紙
Ｔ２  紐
【図１】
0003733589.tif 000002
【図２】
0003733589.tif 000003
【図３】
0003733589.tif 000004
【図４】
0003733589.tif 000005
【図５】
0003733589.tif 000006
【図６】
0003733589.tif 000007
【図７】
0003733589.tif 000008